Podtech/llm-jp-corpus-v4-ja_patent huggingface dataset:
(57)【要約】      （修正有）【課題】身の回りに溢れている飲料ドリンク容器に関し、再利用可能な紙製で、プラスチック製品に負けない機能性を備えた飲み口付き紙製容器を提供する。【解決手段】本体部１において、中身を充填された状態で容器の厚み幅面が左右の側面を成し、この両側面にはマチ部７が形成されており、中身がなくなったら、おのずと扁平状に畳まれるのであり、外面は全てヒートシール８で覆われている。蓋部２において、本体部上端から首の様に少し先細りしながら飲み口部６が上方に突出し、先端部が開口して飲み口５を成し、飲み口部の背面側に、飲み口部よりも左右に数ミリ、上方に数センチはみ出す幅広の蓋３が覆う様に設けてあり、蓋の上端縁中央部に指先でつまむための小突出部、即ち摘み９を設けてあるが、この摘みを含む上端縁域と、飲み口部に当接する上半部領域とを除いて、蓋の縁沿いには、仮接着−剥がしが繰り返し可能な粘着部４が設けてある。【選択図】図３
0003227660.tif 000002
【実用新案登録請求の範囲】
【請求項１】
本体部とその上端に頭部の様に一体的に立ち上がって形成されている蓋部から成る紙製飲料容器であって、
本体部において、
中身を充填された状態で容器の厚み幅面が左右の側面を成し、この両側面にはマチ部が形成されており、
中身がなくなったら、おのずと扁平状に畳まれるのであり、外面は全てヒートシールで覆われており、以下、全体が扁平に畳まれて、蓋部を開けた状態を正面に見て説明するのであるが、
蓋部において、
本体部上端から首の様に少し先細りしながらに飲み口部が上方に突出し、先端部が開口して飲み口を成し、
飲み口部の背面側に、飲み口部よりも左右に数ミリ、上方に数センチはみ出す幅広の蓋が覆う様に設けてあり、
蓋の上端縁中央部に指先でつまむための小突出部、即ち摘みを設けてあるが、この摘みを含む上端縁域と、飲み口部に当接する上半部領域とを除いて、蓋の縁沿いには、仮接着−剥がしが繰り返し可能な粘着部が設けてあり、
以上を特徴とする飲み口付き紙製容器。
【考案の詳細な説明】
【技術分野】
【０００１】  本考案は、ゼリー・ドリンク・食品等に使用できる容器である。
【背景技術】
【０００２】  コンビニ、スーパーなどでは、ゼリー・ドリンク・食品の容器は殆んどプラスチック製容器であった。
【考案の概要】
【考案が解決しようとする課題】
【０００３】  プラスチック製容器は袋本体がフィルムで飲み口は成形品であるため廃棄後も嵩張り、ペットボトルはリサイクル専用として処理されるが、袋状の物は燃せるゴミとして扱われ、リサイクル専用とならないので、ゴミ公害の要因となる。
【課題を解決するための手段】
【０００４】  本体部とその上端に頭部の様に一体的に立ち上がって形成されている蓋部から成る紙製飲料容器である。
本体部において、中身を充填された状態で容器の厚み幅面が左右の側面を成し、この両側面にはマチ部が形成されており、中身がなくなったら、おのずと扁平状に畳まれるのであり、外面は全てヒートシールで覆われている。
以下、全体が扁平に畳まれて、蓋部を開けた状態を正面に見て説明する。
蓋部において、
本体部上端から首の様に少し先細りしながら飲み口部が上方に突出し、先端部が開口して飲み口を成し、飲み口部の背面側に、飲み口部よりも左右に数ミリ、上方に数センチはみ出す幅広の蓋が覆う様に設けてあり、蓋の上端縁中央部に指先でつまむための小突出部、即ち摘みを設けてあるが、この摘みを含む上端縁域と、飲み口部に当接する上半部領域とを除いて、蓋の縁沿いには、仮接着−剥がしが繰り返し可能な粘着部が設けてある。
以上を特徴とする飲み口付き紙製容器である。
【考案の効果】
【０００５】  上述の様に本考案は、紙の表裏面に熱可塑性樹脂でラミネート加工した主材のため使用後も嵩張らずリサイクルも可能であり、プラゴミ公害の減少に貢献する。又飲み残したら漏れない形で保存し、再度飲みたい時は蓋で固定された二ツ折飲み口部を引き起こすだけで飲めるので携帯にも適している。
【図面の簡単な説明】
【０００６】
【図１】本考案において蓋部を開けた状態を示す正面図
【図２】本考案において蓋部を閉じて密封された状態を示す正面図
【図３】本考案において蓋を開けて飲み口部を起そうとする状態を示す斜視図
【考案を実施するための形態】
【０００７】  蓋にあるつまみを握って蓋を引き起す、飲み口部も引き起し真上まで引き上げる。飲み口部は閉られてないので本体部を指で押すと中身が出てくる。飲み残したら、飲み口部を２ツ折にしてその上から蓋を２ツ折にし元に戻す。粘着部はふちどりしてあるので何度でも開いたり閉じたりできる。中身を飲み終えたら全体が平状になるので嵩張らない。本体蓋とも紙製なのでリサイクルでき、プラスチックのような環境汚染の原因にならない。
【符号の説明】
【０００８】  １本体部
２蓋部
３蓋
４粘着部
５飲み口
６飲み口部
７マチ部
８ヒートシール
９摘まみ
【図１】
0003227660.tif 000003
【図２】
0003227660.tif 000004
【図３】
0003227660.tif 000005
(57)【要約】      （修正有）【課題】夏の暑い時期に対応し得る通気性の良好なマスクを提供する。【解決手段】マスクに空気弁を取り付け、呼気がスムーズに出ていくようにした。このことにより熱や湿気、二酸化炭素を含んだ呼気がマスク内に溜まらず熱中症のリスクが軽減できる。また、一方向性の空気弁で息を吸う時は閉まる為、外気を直接吸うことはなく予防面においても有用である。【選択図】図１
0003227622.tif 000002
【実用新案登録請求の範囲】
【請求項１】
不織布やガーゼ、ポリウレタン生地に呼吸弁を付けたことで通気性が飛躍的に向上した呼吸弁付きのマスク。
【請求項２】
弁に取り付けられたフィルターが息を吐きだす時の圧力で弁の排出口から離れることで呼気がダイレクトに出ていき、逆に息を吸うと排出口にフィルターが貼り付き外気を吸うことがなくなり、熱や湿気や二酸化炭素の素早い排出を可能にし、さらに外気を直接吸うことがないので予防にも有用性のある呼吸弁付きマスク。
【考案の詳細な説明】
【技術分野】
【０００１】
本考考案は病気の予防やファッションに用いられるマスクに呼吸用の弁を付けたものである。
【背景技術】
【０００２】
人々はウイルスや菌、又は花粉等有害な物質から身を守る際にマスクを度々用いる。マスクで鼻と口を覆うことで、有害な物質やその物質を含んだ飛沫が口や鼻を通して侵入することを防いでいる。
【０００３】
マスクには不織布を用いたものやガーゼを用いたものが一般的であるが、近年では伸縮性に優れたポリウレタン製のもの等も用いられるようになってきた。
【考案の概要】
【考案が解決しようとする課題】
【０００４】
世界中で新型コロナウイルスが流行し、人々にとってマスクを着用しての予防が不可欠になった。日本も例外でなく、通勤や買い物等、外出している間は常にマスクを着用することを余儀なくされている。
【０００５】
元々マスクを着用する文化が根強い日本であるが、マスクを着用するのはインフルエンザやノロウイルス等が流行する冬から花粉が飛散する春にかけてが主であった。基本的にはそれ以外の季節には着用しないか、風邪などをひいた時に他社に移さないように一時的に着用する程度であった。
【０００６】
しかし、新型コロナウイルスの流行により、人々がマスクを着用する期間や時間は飛躍的に伸びた。今まで春先までで終わっていたマスクを着用する生活が春を超えても尚続いているのが現状である。
【０００７】
しかし比較的寒い、または肌寒い季節以外でマスクを着用することがなかった為に気温が上がってきた中でのマスク生活への対応が問題となっている。
【０００８】
近年は日本でも夏は続けて猛暑日を記録することが珍しくなく、熱中症患者が死亡する事案も少なからず出ている。そんな季節にマスクを付けて口元を覆ってしまうと熱がこもり、熱中症のリスクが懸念される。
【０００９】
同時に口とマスクの間に呼気がこもることで二酸化炭素濃度が上昇し、０００８に記載の問題と相まって健康に被害を及ぼしかねない状態にある。
【００１０】
本考案は以上の様な問題の解決の一助となり、夏の暑い時期でも快適に使用することのできるマスクの提供を目的としている。
【課題を解決するための手段】
【００１１】
本考案にかかるマスクは、本体の両側もしくは片側に呼吸用の弁を装着している。以下、呼吸弁と呼称する。
【００１２】
呼吸弁は内蓋、フィルター、外蓋の３つの部品から成っている。内蓋には意図的に呼気を排出するための穴を開けてあるがその穴を薄く柔らかいフィルターが覆っている。フィルターは内蓋の中心に差し込む様に取り付けられていて、固定されているのはその１点のみである。
【００１３】
弁は不織布やガーゼ、ポリウレタンなどのマスク生地を挟む様にして取り付けられている。生地を挟んだ状態で内蓋の突起を、外蓋の接合部に差し込むことで取り付けができる。
【考案の効果】
【００１４】
本考案のマスクは呼吸弁を取り付けることによって呼気がスムーズに出ていく。フィルターは柔らかい素材の為、息を吐いた時の圧力により一時的に呼気の排出口と離れるようになっている。その為、呼吸弁がダクトとなって呼気をダイレクトに外に出せるようになっている。
【００１５】
呼気が随時出ていくようになる為、呼気に含まれた熱気や湿気も同時に排出される。従ってマスクを着用しながらも顔部分に呼気による熱がたまらないようになっており、マスク非装着時の状態に限りなく近づくこともできる。
【００１６】
当然ながら呼気に含まれた二酸化炭素も排出されていくため、二酸化炭素濃度の上昇による体調不良の緩和も期待できる。
【００１７】
逆に息を吸う時は吐いた時と反対の現象が起こり、フィルターが排出校を覆うようになっている為、外気を直接吸ってしまうことは無い。この為、感染予防のマスクとしての有用性も併せ持っている。
【００１８】
熱や湿気が溜まらず二酸化炭素も排出できるので、日常生活よりも呼吸数が増え、熱の溜まりやすいスポーツなどでの使用にも向いている。
【００１９】
以上から、日本人にとって初めてである「暑い時期に長時間マスクを着用する」という状況に対応し、スポーツにも使用でき得るマスクの提供を可能にした。
【図面の簡単な説明】
【００２０】
【図１】本考案の全体図である。
【図２】本考案の呼吸弁の分解図である。
【考案を実施するための形態】
【００２１】
不織布やガーゼ、ポリウレタンのマスクに呼吸弁を取り付ける。
【００２２】
呼吸弁は内蓋、薄く柔らかいフィルター、外蓋という構造になっている。
【００２３】
内蓋には空気が出ていくための排出口があり、フィルターがそれを覆っている。
【００２４】
マスクの生地を内蓋と外蓋で挟み込み、内蓋の突起を外蓋の接合部に差し込むことで取り付けができる。また、内蓋と外蓋の接合方法は差込ではなく、回すように入れていくねじ式でも良い。
【００２５】
息を吐きだすとその圧力でフィルターが排出口から一時的に離れる。その為、呼気が排出口からダイレクトに出ていく。逆に息を吸う時はフィルターが排出口に貼り付くため、外気を直接吸うことはない。
【図１】
0003227622.tif 000003
【図２】
0003227622.tif 000004
(57)【要約】      （修正有）【課題】使用状態の切り替えを迅速容易に行うことができるハンドカバーを提供する。【解決手段】使用者の手首に装着される筒状の装着部２と、装着部２を装着した状態で手１０の甲を覆うように装着部２に設けられたカバー部３とを備え、装着部２は、手首に対して回転可能に装着され、装着部２の回転により、カバー部３を手の平側に移動させて使用者が把持することができる。【選択図】図２
0003227678.tif 000002
【実用新案登録請求の範囲】
【請求項１】
使用者の手首に装着される筒状の装着部と、前記装着部を装着した状態で手の甲を覆うように前記装着部に設けられたカバー部とを備え、
前記装着部は、手首に対して回転可能に装着され、
前記装着部の回転により、前記カバー部を手の平側に移動させて使用者が把持することができるハンドカバー。
【請求項２】
前記装着部は、紐状の弾性体により縮径されたくびれ部を備える請求項１に記載のハンドカバー。
【請求項３】
前記カバー部は、前記装着部に対して折り返し可能に設けられている請求項１または２に記載のハンドカバー。
【考案の詳細な説明】
【技術分野】
【０００１】
本考案は、ハンドカバーに関する。
【背景技術】
【０００２】
雑菌やウイルス等の接触感染を防止するためのハンドカバーが、従来から知られている。例えば、特許文献１には、抗菌・防臭加工を施した布地を、手のひら部分をカバーする程度の長さ・幅を形作る筒状に縫製したハンドカバーが開示されている。
【先行技術文献】
【特許文献】
【０００３】
【特許文献１】登録実用新案第３１７５００５号公報
【考案の概要】
【考案が解決しようとする課題】
【０００４】
上記従来のハンドカバーは、つり革や手すり等を把持する際には、筒状の内部に親指以外の４本の指を挿入することができ、使用後は手首までスライドさせることで、使用状態を切り替えることができる。
【０００５】
ところが、このハンドカバーは、使用状態を切り替えるために、親指を乗り越えるように筒状の内部を広げながら移動させる必要があることから、このような作業が煩雑になるおそれがあった。
【０００６】
そこで、本考案は、使用状態の切り替えを迅速容易に行うことができるハンドカバーの提供を目的とする。
【課題を解決するための手段】
【０００７】
本考案の前記目的は、使用者の手首に装着される筒状の装着部と、前記装着部を装着した状態で手の甲を覆うように前記装着部に設けられたカバー部とを備え、前記装着部は、手首に対して回転可能に装着され、前記装着部の回転により、前記カバー部を手の平側に移動させて使用者が把持することができるハンドカバーにより達成される。
【０００８】
このハンドカバーにおいて、前記装着部は、紐状の弾性体により縮径されたくびれ部を備えることが好ましい。
【０００９】
前記カバー部は、前記装着部に対して折り返し可能に設けられていることが好ましい。
【考案の効果】
【００１０】
本考案によれば、使用状態の切り替えを迅速容易に行うことができるハンドカバーを提供することができる。
【図面の簡単な説明】
【００１１】
【図１】本考案の一実施形態に係るハンドカバーの斜視図である。
【図２】図１に示すハンドカバーの使用状態の一例を示す斜視図である。
【図３】図１に示すハンドカバーの使用状態の他の例を示す斜視図である。
【図４】図１に示すハンドカバーの使用状態の更に他の例を示す斜視図である。
【考案を実施するための形態】
【００１２】
以下、本考案の一実施形態について添付図面を参照しつつ説明する。図１は、本考案の一実施形態に係るハンドカバーの斜視図である。図１に示すように、ハンドカバー１は、使用者の手首に装着される筒状の装着部２と、装着部２に設けられたカバー部３とを備えている。カバー部３は、装着部２が手首に装着された状態で、使用者の手の略全体を覆うことができる大きさに形成されている。
【００１３】
装着部２およびカバー部３は布地からなり、装着部２の先端部内面の周方向に沿って、カバー部３の基端側が縫着により取り付けられている。装着部２およびカバー部３は、樹脂シートなど他の材料により形成してもよく、接着や融着等により互いに結合する他、装着部２およびカバー部３を一体に成形してもよい。
【００１４】
装着部２の両端開口は、使用者が手を容易に挿入できるように、手首の太さよりも若干大きく形成されており、手首への装着をスムーズに行うことができると共に、装着時に手首だけでなく手根部（手の平における手首近傍の肉厚部分）を覆うことができる。装着部２には、ゴム紐などからなる紐状の弾性体が周方向の全周にわたって縫い付けられることで、この部分が縮径されて、くびれ部４が形成されている。本実施形態のくびれ部４は、互いに間隔をあけて複数形成されているが、くびれ部４は単一であってもよい。
【００１５】
上記の構成を備えるハンドカバー１は、図２に示すように、装着部２を手首に装着して、カバー部３を手１０の甲側に配置することで、手の甲側の略全体を覆うことができるので、日焼け防止用等として使用することができる。カバー部３の外面側には、紫外線を遮断する紫外線遮断層を設けてもよい。
【００１６】
一方、図３に示すように、外出先等でドアノブ２０を触るときには、反対の手で装着部２を引っ張るようにして、装着部２を矢示Ａで示すように１８０度回転させることで、カバー部３が手の平側に移動して使用者が把持可能となる。したがって、使用者は、カバー部３を介してドアノブ２０を握ることができる。ハンドカバー１は、ドアノブ２０を握る以外に、トイレの鍵やエレベータのボタン等のように、不特定多数の人が利用する各種施設・設備の接触箇所に触れる際に、好ましく使用することができる。
【００１７】
本実施形態のハンドカバー１は、装着部２を回転させるだけで、カバー部３を手の甲側と手の平側との間で移動させることができるので、使用状態の切り替えを迅速容易に行うことができる。カバー部３の裏面側は、図２から図３に使用状態を切り替えた後も、使用者の手に対向する状態が維持されるため、使用者の手がカバー部３の表面側に接触するのを回避することができ、衛生状態を良好に保つことができる。
【００１８】
また、本実施形態のハンドカバー１は、紐状の弾性体により縮径されたくびれ部４を備えているので、装着部２の手首への固定が、主としてくびれ部４の弾性力によって行われる。したがって、装着部２と手首との接触面積が小さくなるため、装着部２を回転させる際にスムーズな回転を促すことができるので、この点からも使用状態の切り替えを容易に行うことができる。
【００１９】
カバー部３は、図２に示す状態から、図４に矢示Ｂで示すように装着部２に対して折り返し可能に設けられていることが好ましい。このように、カバー部３を折り返すことで、手を洗う際にカバー部３が邪魔になるおそれがなく、使い勝手を良好にすることができる。
【符号の説明】
【００２０】
１  ハンドカバー
２  装着部
３  カバー部
４  くびれ部
【図１】
0003227678.tif 000003
【図２】
0003227678.tif 000004
【図３】
0003227678.tif 000005
【図４】
0003227678.tif 000006
(57)【要約】      （修正有）【課題】後方を目視することなく後方視認ができる自動二輪車用のシステムを提供する。【解決手段】自動二輪車後方に設置したデジタルカメラ２の映像を前方に設置したデジタルモニター１に映し出して、従来死角になっていた後方情報を振り向かずに確認できるようにする。またこの情報をドライブレコーダーに記録することで、最近社会問題化しているあおり運転などの情報にも利用できる。【選択図】図１
0003227672.tif 000002
【実用新案登録請求の範囲】
【請求項１】
自動二輪車後方に設置したカメラにより得た後方映像を自動二輪車運転者前方に設置したモニターに映し出すシステム
【考案の詳細な説明】
【技術分野】
【０００１】自動二輪車には通常左右確認用サイドミラーが２つ設置されているが、死角になる後方の確認には十分とは言えない状況である。本アイデアはバイク後方に設置したカメラの映像をリアルタイムに運転者の前方に映し出すことで、振り向くことなく視覚確認を行えることを目的とする。
【背景技術】
【０００２】従来のサイドミラーでは狭い範囲での自動二輪車の後方確認しかできず、後方確認には大きく視線を変えて振り向く必要があり、その際の前方確認にも安全性の問題を抱えている。
【先行技術文献】
【特許文献】
【０００３】
【特許文献１】特開２００７−１５３２９４
【考案の概要】
【考案が解決しようとする課題】従来の自動二輪車用サイドミラーは左右後方確認のために装備されているが、後方の完全確認には振り向くなどの動作が必要であり十分な機能を発揮していない。また後方振り向き動作が必要のために前方への安全確認が一時的にも不十分となることが多い。本考案は後方に設置したカメラ映像を運転者前方に設置したモニターに常時映し出すことにより、前方視線を大きく変えることなく容易に後方状況を寸時に把握して、安全を維持しながら瞬時に状況を把握して右折・左折・進路変更などの動作が行えることを可能にできるようになる。
【課題を解決するための手段】後方の状況把握のために、自動二輪車後方の適当な場所に小型デジタルカメラを装着して、この情報を有線無線の伝達方式でモニターに映し出す。モニターは運転者から見やすい位置に設置する。場合によっては防風シールドやヘルメットのシールドにポップアップなどの方式も可能である。
【考案の効果】    自動二輪車では通常右左折時や進路変更時には左右のサイドミラーでの確認に加え後方への視線確認のために大きく前方から後方への視点移動が求められているが本考案を使用すれば、本動作に入る前に周辺情報特に後方の状況が十分に掌握できることにより運転者の肉体的・精神的な負担を大きく軽減できる。また前方視認動作に集中できるために安全性が大きく向上することになる。
【図面の簡単な説明】
【図１】バイク後方背面図
【考案を実施するための形態】
図１に示すように自動二輪車後方にカメラを設置して、運転席側前面の適当な位置にモニターを装備する。
【産業上の利用可能性】自動二輪事故防止、および近年問題となっているあおり運転などの状況を事前に掌握することが可能になる。必要であればカメラと連動してレコーダーと連携して記憶させることも可能になる。
【図１】
0003227672.tif 000003
(57)【要約】      （修正有）【課題】野菜を野菜保存袋に入れる作業時間が短縮できる野菜入れ補助具を提供する。【解決手段】略円筒形状で一方に大径の開口部５と他方に小径の開口部６を有し、小径の開口部の側面の端部に複数のスリット２を設け、小径の開口部を野菜用保存袋３に挿入し、大径の開口部から野菜を挿入する。【選択図】図１
0003227661.tif 000002
【実用新案登録請求の範囲】
【請求項１】
略円筒形状で一方に大径の開口部と他方に小径の開口部を有し小径の開口部の側面の端部に複数のスリットを設け小径の開口部を野菜用保存袋に挿入し大径の開口部から野菜を挿入する事を特徴とする野菜入れ補助具。
【考案の詳細な説明】
【技術分野】
【０００１】本考案は円筒形の形状を有し狭い方の開口部の側面の端部に複数のスリットを設けたことを特徴とする野菜入れ補助具である。
【背景技術】
【０００２】長方形のビニールに野菜を乗せ野菜を長方形のビニールで巻く
野菜を巻いたビニールを野菜用保存袋に入れ長方形のビニールのみを引き抜く。
【考案の概要】
【考案が解決しようとする課題】
【０００３】１日何百袋も野菜を野菜用保存袋に入れる作業時間がかかりすぎた。
【課題を解決するための手段】
【０００４】野菜入れ補助具を使う事により長方形のビニールに野菜をのせ野菜を長方形のビニールで巻く手間が省け野菜を野菜保存袋に入れる作業時間が短縮でき問題を解決する事が出来る。
【考案の効果】
【０００５】野菜入れ補助具を使う事により野菜を長方形のビニールに野菜をのせ野菜を長方形のビニールで巻く手間が省け野菜を長方形のビニールで巻いた物を野菜保存袋に入れる時、複数のスリットの形になっているので、野菜保存袋に入れる時に野菜入れ補助具と野菜保存袋がくっつかないので、スムーズに野菜を野菜保存袋に入れる事が出来、時間短縮になる。
【考案を実施するための形態】
【０００６】略円筒形状で一方に大径の開口部と他方に小径の開口部を有し小径の開口部の側面の端部に複数のスリットを設けた野菜入れ補助具。
【実施例】
【０００７】小径の開口部を野菜用保存袋３に挿入し大径の開口部から野菜４を挿入し野菜入れ補助具本体１だけを抜き取る。
複数のスリット２がある事により２と野菜用保存袋３がくっつきにくく２が大小開く事により野菜４の大小にかかわらず、スムーズに野菜用保存袋３に野菜４を入れる事が出来る。
【符号の説明】
【０００８】１．野菜入れ補助具本体
２．複数のスリット
３．野菜用保存袋
４．葉物野菜
５．大径の開口部
６．小径の開口部
【図１】
0003227661.tif 000003
【手続補正書】
【提出日】令和2年7月2日(2020.7.2)
【手続補正１】
【補正対象書類名】明細書
【補正対象項目名】全文
【補正方法】変更
【補正の内容】
【考案の詳細な説明】
【技術分野】
【０００１】本考案は円筒形の形状を有し狭い方の開口部の側面の端部に複数のスリットを設けたことを特徴とする野菜入れ補助具である。
【背景技術】
【０００２】長方形のビニールに野菜を乗せ野菜を長方形のビニールで巻く。野菜を巻いたビニールを野菜用保存袋に入れ長方形のビニールのみを引き抜く。
【考案の概要】
【考案が解決しようとする課題】
【０００３】１日何百袋も野菜を野菜用保存袋に入れる作業時間がかかりすぎた。
【課題を解決するための手段】
【０００４】野菜入れ補助具を使う事により長方形のビニールに野菜をのせ野菜を長方形のビニールで、巻く手間が省け野菜を野菜保存袋に入れる作業時間が短縮でき問題を解決する事が出来る。
【考案の交果】
【０００５】野菜入れ補助具を使う事により野菜を長方形のビニールに野菜をのせ野菜を長方形のビニールで巻く手間が省け野菜を長方形のビニールで巻いた物を野菜保存袋に入れる時、複数のスリットの形になっているので野菜保存袋に入れる時に野菜入れ補助具と野菜保存袋が、くっつかないので、スムーズに野菜を野菜保存袋に入れる事が出来、時間短縮になる。
【考案を実施するための形態】
【０００６】略円筒形状で一方に大径の開口部と他方に小径の開口部を有し小径の開口部の側面の端部に、複数のスリットを設けた野菜入れ補助具。
【実施例】
【０００７】小径の開口部を野菜用保存袋３に挿入し大径の開口部５から葉物野菜４を挿入し野菜入れ補助具本体１だけを抜き取る。複数のスリット２がある事により２と野菜用保存袋３がくっつきにくく２が大小開く事により、葉物野菜４の大小にかかわらず、スムーズに野菜用保存袋３に葉物野菜４を入れる事が出来る。
【符号の説明】
【０００８】１．野菜入れ補助具本体
２．複数のスリット
３．野菜用保存袋
４．葉物野菜
５．大径の開口部
６．小径の開口部
【図面の簡単な説明】
【０００９】
【図１】本考案の野菜入れ補助具の実施例を示す正面図である。
(57)【要約】      （修正有）【課題】視認性を高められる透光部材を提供する。【解決手段】背面側に設けられた光源３からの光を前面側に向かって透光する透光部材であって、光源３側に配置され、透光性素材で形成された板部２と板部２の前面側に取り付けられ前面側から見て外形が所定形状に形成され、少なくとも前面に凹凸が形成された透光性を有する装飾部１と、を備える。【選択図】図１
0003227669.tif 000002
【実用新案登録請求の範囲】
【請求項１】
背面側に設けられた光源からの光を前面側に向かって透光する透光部材であって、光源側に配置され、透光性素材で形成された板部と、板部の前面側に取り付けられ、前面側から見て外形が所定形状に形成され、少なくとも前面に凹凸が形成された透光性を有する装飾部、と、を備える透光部材。
【考案の詳細な説明】
【技術分野】
【０００１】  本考案は背面側に設けられた光源からの光を前面側に向かって透光する透光部材に関するものである。
【背景技術】
【０００２】  従来の透光部材は市街地での夜間の視認性、絢爛性、非埋没性が限定的であった。
【考案の概要】
【考案が解決しようとする課題】
【０００５】  店舗の看板等で夜間に発光するタイプのものは光源からの光が凹凸を有する透光性素材を通さないので見え方が平面的であった。
【課題を解決するための手段】
【０００６】  透光性素材で形成された板部に取り付けられ、前面側から見て外形を所定形状に形成し、少なくとも前面に凹凸が形成された透光性を有する装飾部を板部前面側に向かって透光する。
【考案の効果】
【０００７】  上述の様に本考案の透光部材は凹凸を有する透光性装飾部を通す光の効果により視認性をより高める。
【図面の簡単な説明】
【０００８】
【図１】本考案の透光部材の実施例を示す正面図である。
【考案を実施するための形態】
【０００９】  背面側に設けられた光源（３）からの光を前面側に向かって透光する透光部材であって、光源側に配置され、透光性素材で形成された板部（２）と板部（２）の前面側に取り付けられ、前面側から見て外形が所定形状に形成され、少なくとも前面に凹凸が形成された透光性を有する装飾部（１）と、を備える透光部材。
【００１０】  以下、添付図面に従って一実施例を説明する。１はおはじき様の少なくとも前面に凹凸が形成された透光性を有する装飾部、２は板状透光性素材である。光源３の光が裏部非透光性素材４にさえぎられる事によって文字「Ａ」が浮かび上がる。
【符号の説明】
【００１３】１  装飾部（例えば、おはじき）
２  板部  （例えば、透明アクリル板）
３  光源  （例えば、ＬＥＤライト）
４  裏    （例えば、アルミ板）
【図１】
0003227669.tif 000003
(57)【要約】      （修正有）【課題】メガネが曇らず、息苦しさも起こさず、１日中マスクを着けていても使用者を快適に保つマスクを提供する。【解決手段】マスク本体の上部及び下部の表布と裏布の間に変形可能な突起物３を左右に間隔をあけてつける。顔にマスクを装着したときに上側の突起物３が鼻と頬の隙間を埋め排気をメガネの方に流れるのを止める。下の方の突起物３は顎に密着して顎とマスクの間に隙間を作り排気の通路として排気をたすける。【選択図】図１
0003227666.tif 000002
【実用新案登録請求の範囲】
【請求項１】
マスクの上下内部に突起物を縫い込み呼吸の流れをコントロールし、めがねが曇りにくいマスク
【考案の詳細な説明】
【技術分野】
【０００１】鼻とほほの間の隙間に合わせて突起物を左右に付けて息を吐いたときにメガネの排気の流れを断つマスクはありましたが、今までかなりの量の排吐を助けていた鼻と頬の隙間が２つの突起物によりふさがれてしまい、行き場を失った排気がマスクの本体より通過するしか出口がなく何割かの排気がマスク内に残ってしまいました。結果としてメガネの曇りはなくなったが、息苦しさが発生し、酸欠状態になってしまっていました。そこで、マスクの下側（顎にあたる部分）に２つの突起物を左右につけ（上に２つ、下に２つ計４個）の突起物をつけることにより、顎の位置に巾３センチぐらいの隙間を作ります。その隙間を排気穴として、排気を助けます。吸気の時に其処から空気が入ってしまうと思いますが、吸気の時は下顎付近とマスクの内側の布が密着し突起物の隙間からは空気が流れ込みません。その結果、呼吸も楽になりメガネも曇りません。
マスクの布部分を通過した新鮮な空気を吸う事と排気の抵抗も減り、息苦しさなくマスクを着けていられるようになります。
【背景技術】
【０００２】いままでのメガネが曇らないマスクとされている物はメガネの曇りを防ぐ為に鼻と頬の隙間を突起物にて遮断をして曇りにくくしていた。その結果マスク内において十分な空気の入れ替えが出来ず息苦しくなり、酸欠状態が発生する原因となりました。呼吸を妨げずにマスクも曇りにくいマスクが必要と考えた。
【先行技術文献】
【特許文献】
【０００３】
【特許文献１】特開２０１８−１７８３３９
【特許文献２】特開２０１２−２３２０８０
【非特許文献】
【考案の概要】
【考案が解決しようとする課題】
【０００４】本考案はマスクをしてもメガネが曇らず、さらに息苦しさも起こさない。
１日中マスクを着けていても快適なメガネ使用者のためのマスクです
【課題を解決するための手段】
【０００５】▲１▼鼻と頬の隙間（排気の通路を塞ぐ突起物）をマスクの上部左右に間隔を開けて付ける
▲２▼マスクの下側の顎に当たる部分に突起物を左右に間隔を開けて付ける。
▲３▼顎とマスクの間に隙間を作ることによりそこを新しい排気通路として呼吸を助ける。
【考案の効果】
【０００６】以前のメガネが曇らないマスクは針金等で顔とマスクの隙間を埋めるものがあるが、それだと顔の動きに付いていけずに使用しているうちに隙間が出来てメガネが曇る事が多かった。またマスク全面からの吐息が上がりメガネの隙間より入り込み曇ることが多かった。本考案は立体的にメガネの隙間を埋める事と、顎の当たりに意図的に隙間を作る事により空気の流れをコントロールし従来品よりメガネが曇らないマスクを実現した
【図面の簡単な説明】
【０００７】
【図１】本考案の排気穴付きメガネ用マスクの表正面図である。
【図２】本考案の排気穴付きメガネ用マスクの裏正面図である。
【図３】本考案の排気穴付きメガネ用マスクの右側面図である。
【図４】本考案の排気穴付きメガネ用マスクの左側面図である。
【考案を実施するための形態】
【０００８】マスク本体の表布と裏布の間に変形可能な突起物を図のようにつける。顔にマスクを装着したときに上側の突起物が鼻と頬の隙間を埋め排気をメガネの方に流れるのを止める。下の方の突起物は顎に密着して顎とマスクの間に隙間を作り排気の通路として排気をたすける。
【符号の説明】
【０００９】１    表布
２    裏布
３    突起物
４    耳掛けひも
【配列表フリーテキスト】
【図１】
0003227666.tif 000003
【図２】
0003227666.tif 000004
【図３】
0003227666.tif 000005
【図４】
0003227666.tif 000006
(57)【要約】      （修正有）【課題】子供などが水泳の練習を行う際に使用する、浮力を調節することが可能なビート板を提供する。【解決手段】所定の浮力を有するビート板であって、該ビート板は、上面を形成する上面外壁部１と、下面を形成する下面外壁部２とこれら上面外壁部と下面外壁部とを連結する側壁部３とから構成され、その内部に空洞部が形成されており、該空洞部は前記上面外壁部と下面外壁部と側壁部とのいずれかに形成された開口部によって外部と連通して水の出し入れが可能とされると共に、開口部の蓋部材９で開閉可能とされていて、浮力の調節を可能にした。【選択図】図１
0003227670.tif 000002
【実用新案登録請求の範囲】
【請求項１】
所定の浮力を有するビート板であって、該ビート板は、上面を形成する上面外壁部と、下面を形成する下面外壁部とこれら上面外壁部と下面外壁部とを連結する側壁部とから構成され、その内部に空洞部が形成されており、該空洞部は前記上面外壁部と下面外壁部と側壁部とのいずれかに形成された開口部によって外部と連通して水の出し入れが可能とされると共に、前記開口部は蓋部材で開閉可能とされていることを特徴とするビート板。
【請求項２】
前記ビート板は、前記下面外壁部と前記上面外壁部の少なくともいずれか一方にビード部が形成されていることを特徴とする請求項１記載のビート板。
【考案の詳細な説明】
【技術分野】
【０００１】  本考案は、子供などが水泳の練習を行う際に使用する浮力を備えたビート板に関するものである。
【背景技術】
【０００２】  子供に水泳を指導する際、浮力を備えたビート板を持たせて泳ぐようにすれば、子供がスムーズに泳ぐことができるが、ビート板を持たせずに泳がせようとすると、うまく泳げないことが多い。これは、水に対する恐怖心が残っているためと思われる。このため、ビート板の浮力を段階的に落としていくことで水に対する恐怖心が薄れていくと考えられる。なお、ビート板に関しては、透明窓を設けたものが登録実用新案公報３０４５６０４（特許文献１）で知られている。
【先行技術文献】
【特許文献】
【０００３】
【特許文献１】登録実用新案公報第３０４５６０４
【考案の概要】
【考案が解決しようとする課題】
【０００４】  従来の一般的な水泳練習用のビート板は、浮力の調節ができない構造となっている。このため、子供たちが水泳の練習を行う際に、ビート板を使用してなんとか泳げる状態から、少し上手になって、ビート板を外して泳ごうとすると、水に対する恐怖心が出てきてうまく泳げないといった問題が出てくる。本考案は、この問題を解決することを課題とする。
【課題を解決するための手段】
【０００５】  本考案は、前記した課題を解決するために、所定の浮力を有するビート板であって、該ビート板は、上面を形成する上面外壁部と、下面を形成する下面外壁部とこれら上面外壁部と下面外壁部とを連結する側壁部とから構成され、その内部に空洞部が形成されており、該空洞部は前記上面外壁部と下面外壁部と側壁部とのいずれかに形成された開口によって外部と連通して水の出し入れが可能とされると共に、前記開口部は蓋部材で開閉可能とされていることを特徴とする。
【考案の効果】
【０００６】  本考案によれば、ビート板の開口部から空洞部内に水を入れることで浮力を調節することが可能となる。水泳の練習を行う際に、最初はビート板空洞部内に水を全く入れないか、あるいは水を少し入れて、浮力が十分にある状態から泳ぎを行う。泳ぎに慣れてくるに従ってビート板空洞部内に入れる水を少しずつ増やして浮力を落としていく。この方法によって水に対する恐怖心を持たせないように、ビート板の浮力に頼らなくても泳げるようにしてくことができ、最終的には、ビート板を使用しなくても泳げるようなるという効果がある。【０００７】  また、該ビート板の下面外壁部と上面外壁部には、ビード部を数ヶ所設けているため、外部からの圧力による変形を防ぐという効果も有する。
【図面の簡単な説明】
【０００８】
【図１】  本考案の実施例を示す斜視図である。
【図２】  本考案の実施例を示す平面図である。
【図３】  本考案の実施例を示す前方側面図である。
【考案を実施するための形態】
【実施例】
【０００９】  本考案の実施例を図面に基づいて説明する。ビート板Ｂは、薄板状の上面を形成する上面外壁部１と、薄板状で下面を形成する下面外壁部２と、これら上面外壁部１と下面外壁部２とを連結する側壁部３から構成されている。そして、このビート板Ｂは、前側が円弧状とされ、後ろ側は使用者Ｙが手で持ちやすいように左右両側が後方に突出した突出部４を備えた湾曲状とされている。【００１０】  このビート板Ｂは、その内部に空洞部５が形成されている。素材は耐久性、強度の高いプラスチックでブロー成形技術などを用いて作られる。素材のプラスチックを透明度の高いものにして、ビート板内部に入っている水の量を目視できるようにする。また、前記側壁部３の前側の円弧状部分には、開口部７によって前記空洞部５に水を入れることができるようになっている。この開口部７には、筒状に形成されたねじ部８が形成されており、このねじ部８に嵌め込まれる蓋部材９で開口部７を塞ぐようになっている。前記したビート板Ｂは、上面外壁部１と下面外壁部２とにそれぞれ長手方向に伸びるビード部６が４本ずつ形成されている。このビード部６は、前記空洞部５にへこんだ状態とされているが、前記空洞部５側ではなく、外方側に突出してもよいものである。また、前記ビード部６は４本ずつ形成しているがビード部６の本数はこれに限るものではなく２本でも１本でもよいものである。要は、強度を向上させるものである。さらに、前記上面外壁部１のみに形成したり、下面外壁部２のみに形成してもよいものである。【００１１】  なお、開口部７は、側壁部３の前側の円弧状先端部に設けたが、側壁部３の横側、上面外壁部１、下面外壁部２などのどの部位に設けても良いものである。また、この実施例では、ブロー成形技術によりビート板の形を形成するようにしているが、それぞれの部位をプレスなどで成形し接着剤等で固定する方法も考えられ、成型方法はこれに限るものではない。【００１２】  前記した本考案によれば、水泳初心者のビート板使用者Ｙが水泳を練習する際に、最初はビート板Ｂの空洞部５に水を入れない状態、つまり、浮力が高い状態で練習することができる。そして、水泳が少しずつ上達していくに従って、ビート板Ｂの開口部７に嵌め込まれている蓋部材９を外して空洞部５に水を入れて浮力を少しずつ下げていくようにする。このような方法で、ビート板Ｂの浮力を使用者の泳力の進歩に応じて下げていくことで、水に対する恐怖心を持つことなく、ビート板に頼らなくても泳げるようになる。
【符号の説明】
【００１３】Ｂ  ビート板本体
Ｙ  使用者
１  上面外壁部
２  下面外壁部
３  側壁部
４  突出部
５  空洞部
６  ビード部
７  開口部
８  ねじ部
９  蓋部
【図１】
0003227670.tif 000003
【図２】
0003227670.tif 000004
【図３】
0003227670.tif 000005
(57)【要約】      （修正有）【課題】複数のウロバッグに対し対応するとともに装着が容易にでき尚且つ尿破棄を円滑にするウロバッグカバーを提供する。【解決手段】縦３１〜３４ｃｍ、横３０〜４０ｃｍの２枚の布帛１からなる袋状のウロバッグカバーであって、二枚の布帛の上部１４．５〜１６ｃｍの範囲で縫製、接合され、下部はスカート状に開放されており、布帛の片面にオスまたはメスの面ファスナー３がバッグ下部から８〜１５ｃｍ、左右から３〜２０ｃｍの位置に１または２個取り付けられ、方面の布帛を折り曲げたときの対応する位置にメス又はオスの面ファスナーが取り付けられており、ウロバッグカバーの上部には複数個の固定用のスナップボタン、紐又は面ファスナー２が取り付けられている。【選択図】図１
0003227530.tif 000002
【実用新案登録請求の範囲】
【請求項１】
縦３１〜３４ｃｍ、横３０〜４０ｃｍの２枚の布帛からなる袋状のウロバッグカバーであって、二枚の布帛の上部１４．５〜１６ｃｍの範囲で縫製、接合され、下部はスカート状に開放されており、布帛の片面にオスまたはメスの面ファスナーがバッグ下部から８〜１５ｃｍ、左右から３〜２０ｃｍの位置に１または２個取り付けられ、方面の布帛を折り曲げたときの対応する位置にメス又はオスの面ファスナーが取り付けられており、ウロバッグカバーの上部には複数個の固定用のスナップボタン、紐又は面ファスナーが取り付けられていることを特徴とするウロバッグカバー。
【請求項２】
布帛がナイロン、ポリエステル又は綿の繊維からなることを特徴とする請求項１記載のウロバッグカバー。
【考案の詳細な説明】
【技術分野】
【０００１】  本校案は、ウロバッグを使用する利用者本人、又はウロバッグに関する病院又は施設等で従事する者に関するものである。
【背景技術】
【０００２】  消臭剤付きのウロバッグカバーは知られているが尿破棄がしにくいなどの問題点があり、尿臭が軽減されるが衛生的ではなかった。
【考案の概要】
【考案が解決しようとする課題】
【０００３】  病院内ではウロバックがむき出しにされることが多く病院内を移動する際他の患者に見られるという精神的な負担があった。【０００４】  老人施設などではおもに布バッグや、紙袋に入れられ持ち手の部分で結んであることが多く見受けられ、尿破棄する際結びをほどき、また結ぶという作業が必要となり、複数人の尿測、尿破棄に時間が掛かってしまうことと面倒であることなどの問題点があった。【０００５】  ウロバッグのメーカーにより尿破棄のロートの位置が違うため、それらに対応するものがなかった。【０００６】  衛生面において、汚れや、臭いなどの問題点があった。
【問題を解決するための手段】
【０００７】  本考案は縦３１から３４ｃｍの二枚の布帛からなる袋状のウロバッグカバーで二枚の布帛の上部１４．５〜１６ｃｍの範囲で縫製、接合され、下部はスカート状に開放されており、布帛の片面にオスまたはメスの面ファスナーがバッグカバー下部から８〜１５ｃｍ、左右から３〜２０ｃｍの位置に１又は二個取り付けられ、片側の布帛を折り曲げたときに対応する位置にメス又はオスの面ファスナーが取り付けられており、バッグカバーの上部には複数個の固定用スナップボタン、紐又は面ファスナーが取り付けられている、片面を折り曲げることにより開口部が広くとれることにより複数のウロバッグメーカーによる破棄ロート位置に対応することができ、個人や、施設等での尿破棄がしやすくなるなどの課題の００３，００４，００５，の問題点を解決できる。
【０００８】  布帛がナイロン、ポリエステル又は綿の繊維からなることにより００６の問題点である衛生的な点が解決できる。
【考案の効果】
【０００９】  カバーを付けることで外観上ウロバッグを隠すことで使用する人に対し、嫌悪感を与えることなくストレスを軽減して使用することができる。
カバーの開口が広いため寸法のことなる各種ウロバッグに対して使用することができる。素材がナイロン、ポリエステル又は綿であるため、取り外して洗濯することにより清潔に何度も使用することができる。
施設等での作業の負担が軽減される。
【図面の簡単な説明】
【００１０】
【図１】本考案のウロバッグカバーの実施例を示す正面図である。
【図２】下部スカート状を折り曲げたときの使用図
【考案を実施するための形態】
本考案実施例でもって説明する。
【実施例】
【００１１】  本考案は縦３１から３４ｃｍの二枚の布帛からなる袋状のウロバッグカバーで二枚の布帛の上部１４．５〜１６ｃｍの範囲で縫製、接合され、下部はスカート状に開放されており、布帛の片面にオスまたはメスの面ファスナーがバッグカバー下部から８〜１５ｃｍ、左右から３〜２０ｃｍの位置に１又は二個取り付けられ、片側の布帛を折り曲げたときに対応する位置にメス又はオスの面ファスナーが取り付けられており、バッグカバーの上部には複数個の固定用スナップボタン、紐又は面ファスナーが取り付けられている、素材はナイロン又は、ポリエステル又は、綿繊維を使用。【００１２】  本考案の実施例は上述の如き構成からなるものであるから、前面の布帛を折り曲げ面ファスナー部分で固定することで尿破棄しやすくなる。【００１３】  布帛の上部に複数個のスナップボタン又は紐、または面ファスナーが取り付けられていることによりウロバッグへの着脱が可能であり、繰り返し洗濯できることにより清潔を保てる。【００１４】  下部の内側の面ファスナーを取り付けることにより大きくめくれることがなくなる。
（５）
【符号の説明】
【００１５】１  布帛
２  固定用スナップボタン、または紐または、面ファスナー
３  上部スカート状の固定用面ファスナー
４  下部スカート状の固定用面ファスナー
【図１】
0003227530.tif 000003
【図２】
0003227530.tif 000004
(57)【要約】      （修正有）【課題】強風でも壊れ難い風道付き崩壊防止洋傘を提供する。【解決手段】風道付き崩壊防止洋傘は、傘の親骨の上から掛けられた天布と、天布において、親骨の端末部より外側に垂れ下る部分である側面布と、垂れ下がった側面布を各親骨の末端が支持点となって、傘の内側へ親骨に沿ってせり上げ、張り詰めた状態で傘の内側にジッパーテープ４、４’で止めることで形成される風道とから成る。【選択図】図１
0003227527.tif 000002
【実用新案登録請求の範囲】
【請求項１】
天布を側面に延長して作る風道により、強風による傘の崩壊を防ぐ風道付崩壊防止洋傘
【考案の詳細な説明】
【技術分野】
【０００１】  天布を利用して風道を作り、風の流れを整えることにり抵抗を少なくして崩壊を防ごうとする傘に関するものである。
【背景技術】
【０００２】  傘の崩壊対策に関しては多くの挑戦事例があるが、自然現象との戦いでもあり未だ決定的技術は見あたらないのか現実と言え、これは永遠の課題であると考えている。
【先行特許技術文献】
【特許文献】
【０００３】
【特許文献１】特開平成２００４−０００４３１号
【非特許文献】
【０００４】
【非特許文献１】風圧に関する基礎的研究  京都大学学術情報  リポジトリＫＵＲＥＮＡＩ
【考案の概要】
【考案が解消しようとする課題】
【０００５】  傘が壊れ易いものとしてのイメージは、今日に至るまでも変わっていない、極端な場合使い捨てと言われるようにもなっている、放置される傘の危険性も指摘されており、これを解消する一つとして耐久性に優れたものを作る必要がある。
【課題を解決するための手段】
【０００６】  傘が強風により崩壊する状況の多くは、風に対抗する形で必死に差しているときにビル風のような突然方向を変えた風が傘の中に吹き込み天布を持ち上げてしまうときにおこり易い、そこでどの方向から吹き込む風でも、反対側から速やかに通り抜けられるようにして、天布にかかる負荷を少なくするために風道を作り、自然に抗うことなく強調させること。
【考案の効果】
【０００７】  風道により風を滑らかにすることで、速やかに通り抜けできることから抵抗を少なくできる効果が得られる。
【図面の簡単な説明】
【０００８】
【図１】  傘を上から見た平面の裏面を表した図、多角形の外輪郭線および内部に同形の線、それに各親骨に面して作る風道の位置を記してある。  天布を親骨の末端から外側へ一定の長さまで延長して使用するために、これを平面上に広げた形で図示したのが外輪郭線であり、親骨の末端を繋いでいるのが内郭線である。  天布は内郭線のところで自然に垂れ下り側面になるので、これより外側は本来、平面には投影されな部分であるが、連続して利用するところから展開図的に示してある、そこで傘布の内郭線までを天布、それ以降垂れ下る分を側面布と区別した呼称で説明することにする。
【図２】  図１に示す符号１から５までの通り断面図、図１の各角にダイヤモンド状の図があるがすべて同じ断面である。
【図３】  正面図は背面図と同形のため一方を省略した、天布と側面布の関連を示したもの
【図４】  左側面、右側面、各斜面は同形のため左側面を除き省略、天布と側面布の関連を示したもの
【考案を実施するための形態】
【０００９】  天布を延長して、側面に落とた一部で風洞をつくり意匠を構成する、これを風道に応用することにより、強風に強い構造として傘の崩壊を防ぐもの。
【実施例】
【００１０】  本考案は、傘の形状を考えて作った風洞の機能に着目して本申請に至ったものである。【００１１】  符号１の天布先端部は、自然に符号−１’に移動。
符号−１’は更に内側に折り、親骨に沿って競りあがる形で符号３で上下に取付けてある脱着布、符号４  ４’で接着、この際、親骨を中心に左右の側面布が弧を描きながら寄ってきて風洞が構成され、抵抗の少ない自然な風の通り道ができる、これを風道と称している。【００１２】  風道はそのときの気象状況などにより脱着できるようにしてあり、これを外すことで側面からの日射や風雨除けが可能になる。
【符号の説明】
【００１３】  符号１を繋いだ多角形外枠線は、天布と側面布になる部分を合わせたものを平面上に広げたときの形である、符号２は親骨の末端にあたり、これを結んだ内枠線内が天布が掛っているところ。天布はここで垂れ下り側面布となる。
符号１’は符号１が自然に垂れ下る位置
符号３は符号１’から移動してきた側面布端を接着する位置
符号４  ４’脱着布ペアーの固定位置
【図１】
0003227527.tif 000003
【図２】
0003227527.tif 000004
【図３】
0003227527.tif 000005
【図４】
0003227527.tif 000006
【手続補正書】
【提出日】令和2年4月22日(2020.4.22)
【手続補正１】
【補正対象書類名】実用新案登録請求の範囲
【補正対象項目名】全文
【補正方法】変更
【補正の内容】
【実用新案登録請求の範囲】
【請求項１】
傘の親骨の上から掛られた天布と、
前記天布において、親骨の端末部より外側に垂れ下る部分である側面布と、
垂れ下がった前記側面布を各親骨の末端が支持点となって、傘の内側へ親骨に沿ってせり上げ、張り詰めた状態で傘の内側にジッパーテープで止めることで形成される風道とから成る、
風道付き崩壊防止洋傘。